(57)【特許請求の範囲】
【請求項１】
水および二水素化マグネシウムを入れた、水素分子を透過させることが可能な内容器と、
該内容器を収容しており、一部分に孔を有する外容器と
を備える、水素を皮膚に供給する器具。
【請求項２】
前記外容器の開口部を覆う金属製または樹脂製の蓋を備え、
前記外容器は金属製である
請求項１に記載の水素を皮膚に供給する器具。
【請求項３】
水および二水素化マグネシウムを入れた、水素分子を透過させることが可能な内容器を、一部分に孔を有する外容器に収容し、
前記外容器の孔を有する部分をヒト以外の動物の皮膚に当てる水素を皮膚に供給する器具の使用方法。
【発明の詳細な説明】
【技術分野】
【０００１】
本発明は、水素を皮膚に供給する器具、および、水素を皮膚に供給する器具の使用方法に関する。
【背景技術】
【０００２】
水素分子を皮膚に吸収させることにより、抗炎症効果等の健康増進効果が得られると言われている。特許文献１には、水中で水素分子を発生させる入浴剤が記載されている。特許文献１に記載の発明では、水素化マグネシウムと水との反応により水素分子を発生させている。湯の中で水素分子が発生し、発生した水素分子は全身の皮膚から吸収され、健康増進に寄与する。
【先行技術文献】
【特許文献】
【０００３】
【特許文献１】特開２０１５−７４６３５号公報
【発明の概要】
【発明が解決しようとする課題】
【０００４】
東洋医学では、身体に張り巡らされた経絡上の経穴、いわゆるツボに、もぐさに火をつけた灸を載せて熱刺激を与える療法が行われている。ツボを適切に刺激することにより、血行を正常化して内蔵の状態を良くする効果があると共に、ストレスの解消の効果もあることが知られている。
【０００５】
特許文献１の入浴剤では、所望の場所に効果的に水素分子を供給することはできない。
【０００６】
本発明は、所望の場所に効果的に水素分子を供給することが可能な、水素を皮膚に供給する器具、および、水素を皮膚に供給する器具の使用方法を提供することを目的とする。
【課題を解決するための手段】
【０００７】
水素を皮膚に供給する器具は、水および二水素化マグネシウムを入れた、水素分子を透過させることが可能な内容器と、該内容器を収容しており、一部分に孔を有する外容器とを備える。
【０００８】
水素を皮膚に供給する器具は、前記外容器の開口部を覆う金属製または樹脂製の蓋を備え、前記外容器は金属製である。
【０００９】
水素を皮膚に供給する器具の使用方法は、水および二水素化マグネシウムを入れた、水素分子を透過させることが可能な内容器を、一部分に孔を有する外容器に収容し、前記外容器の孔を有する部分をヒト以外の動物の皮膚に当てる。
【発明の効果】
【００１０】
所望の場所に効果的に水素分子を供給することが可能な水素を皮膚に供給する器具（以下水素灸（登録商標）という）および水素灸の使用方法を提供することができる。
【図面の簡単な説明】
【００１１】
【図１】水素灸用容器の分解斜視図である。
【図２】水素灸の断面図である。
【図３】水素灸の使用状態を示す説明図である。
【図４】実施の形態３の水素灸の断面図である。
【図５】実施の形態４の水素灸の断面図である。
【図６】実施の形態５の水素灸の使用状態を示す説明図である。
【発明を実施するための形態】
【００１２】
［実施の形態１］
図１は、水素灸用容器１０の分解斜視図である。水素灸用容器１０は、外容器１１、内容器１２および蓋１３を備える。外容器１１は、直径６５ミリメートル、高さ２５ミリメートルの有底円筒形の金属製容器または樹脂製容器である。具体的には、外容器１１の材質は、アルミニウム、ステンレス、硬質樹脂等の水素の影響を受けないまたは受け難い材質である。硬質樹脂製である場合には、水素分子が透過しにくい厚さ、たとえば１ミリメートル以上の厚さである。
【００１３】
外容器１１の底には、直径３ミリメートル以下の孔２１が１個以上設けられている。外容器１１の側面の上半分には、雄ねじが設けられており、後述の蓋１３をかぶせることにより、水素が飛散し難くなる構造をしている。
【００１４】
蓋１３は、外容器１１の側面と対応する雌ネジを内側に有する側面および天面を備える金属製ないし樹脂製の蓋である。蓋１３の材質は、アルミニウム、ステンレス、硬質樹脂等の、水素の影響を受けないまたは受け難い材質である。硬質樹脂製である場合には、水素分子が透過しにくい厚さ、たとえば１ミリメートル以上の厚さである。内容器１２は、皿型の樹脂製容器である。
【００１５】
図２は、水素灸２０の断面図である。水素灸２０は、キューブ１５および水を入れた内容器１２が、外容器１１および蓋１３の内部に収納された構成である。キューブ１５は、一辺が２０ミリメートル弱の、二水素化マグネシウム製タブレットである。後述するキューブ１５と水の化学反応により、水素分子が発生する。発生した水素分子は泡になり、水の外に出る。以下の説明では、水素分子を単に水素と記載する場合がある。
【００１６】
図３は、水素灸２０の使用状態を示す説明図である。うつぶせに横たわった人の腰に、直接皮膚の上にまたは衣服の上に水素灸２０を置いている。水素灸２０の底に設けられた孔２１から出る水素が、直接皮膚からまたは衣服を通って腰の患部に供給される。
【００１７】
水素灸２０の作成方法を説明する。外容器１１に内容器１２を入れる。キューブ１５を内容器１２に入れる。水を温めて、摂氏７０度から８０度の湯にする。湯を内容器１２に注ぐ。外容器１１に蓋１３をかぶせ、両者の側面に設けられたねじにより固定する。以上により、図２を使用して説明した水素灸２０が完成する。
【００１８】
水素灸２０の作用について説明する。キューブ１５を構成する二水素化マグネシウムと水とが下式の化学反応を起こして、水素分子が発生する。
【００１９】
【化１】
0006624591.tif 000002
【００２０】
水素分子は、内容器１２の上部の開口から、外容器１１の内部に拡散する。水素分子は、外容器１１および蓋１３を透過することはできないまたは透過し難い。そのため、発生した水素は孔２１から水素灸２０の外に出る。図３に示すように水素灸２０を腰に置くことにより、発生した水素を逃さず皮膚に供給することができる。この状態で、１５分から２０分程度の間、水素を供給することが望ましい。
【００２１】
その後、水素灸２０を皮膚から離す。蓋１３を外して、キューブ１５を取り出す。キューブ１５、内容器１２、外容器１１、蓋１３は乾燥させた後に、保管する。
【００２２】
水素灸２０を当てる位置は、腰に限定しない。内容器１２内の湯をこぼさずに当てることができる限り、任意の場所に当てることが可能である。なお、使用する水素灸２０の数は、部位により適宜変更する。複数の水素灸２０をそれぞれ異なる部位に当てても良い。
【００２３】
内容器１２内の湯で皮膚を温めながら水素を供給するので、温めたことによる血行促進効果と、水素による効果の両方を同時に得ることができる。
【００２４】
衣服の上から水素灸２０を皮膚に当てることにより、内容器１２内の湯による低温火傷を防止することができる。また、着替え等に使用する個室を用意する必要が無いので、狭い場所でも施術を行うことができる。
【００２５】
内容器１２の開口部に薄いシートをかぶせ、輪ゴム等によって内容器１２に固定して蓋を作っても良い。シートは、たとえばポリエチレン製の袋を切り開いたシート、またはセロファン製のシート等を使用することができる。水素分子は小さいので、これらのシートを通り抜けることができる。
【００２６】
内容器１２に、水密の蓋付きの容器を使用しても良い。このようにする場合には、内容器１２または内容器１２の蓋にいずれか一方または両方は、水素分子が透過しやすい厚さ、たとえば０．２ミリメートル程度の厚さの部分を有するようにする。内容器または内容器１２の蓋のいずれか一方は水素を通さない金属製でも良い。内容器１２に水密の蓋をかぶせることにより、外容器１１内に水がこぼれ、孔２１から外部に流出することを防止することができる。
【００２７】
キューブ１５の代わりに、二水素化マグネシウムの粉末を使用しても良い。タブレットに比べて二水素化マグネシウムの表面積が大きいため、水素の発生速度を早くすることができる。
【００２８】
［実施の形態２］
本実施の形態は、湯の代わりに摂氏７０度から８０度に温めた重量比１５パーセントのクエン酸水溶液を使用する水素灸２０に関する。実施の形態１と共通する部分については、説明を省略する。
【００２９】
本実施の形態においては、（１）式で説明した化学反応に加えて、キューブ１５を構成する二水素化マグネシウムとクエン酸水溶液中のクエン酸とが下式の化学反応を起こして、水素分子が発生する。
【００３０】
【化２】
0006624591.tif 000003
【００３１】
このようにすることにより、水素の発生速度が速くなり、多くの水素を速やかに皮膚に供給することができる。
【００３２】
表１に、本実施の形態の水素灸２０を使用した施術の結果を示す。番号は、施術例の番号を示す。部位は、水素灸２０を当てた部位を示す。痛みの種類は、施術前の被験者が訴えていた痛みの種類を示す。急慢は、痛みが急性のものであるか、慢性のものであるかの区別を示す。
【００３３】
評価は、施術の前後の痛みの強弱を評価した結果を示す。評価は、全く痛みが無い状態を「０」、自分が考え想像しうる最悪の痛みを「１０」として、今感じている痛みの点数を被験者に聞く方法により実施している。空欄は、２回目以降の施術を実施していない等の理由によりデータが無いことを示している。表１の被験者は、２０歳から８９歳までの成人男女である。
【００３４】
【表１】
0006624591.tif 000004
【００３５】
表１に示すように、本実施の形態の水素灸２０は、さまざまな部位のさまざまな痛みを軽減する効果を奏する。
【００３６】
クエン酸水溶液の濃度および温度は例示であり、適宜変更することができる。たとえば、クエン酸水溶液の温度を摂氏４２度程度とする場合には、水素灸２０を皮膚に直接当てても低温火傷を起こさない。
【００３７】
常温のクエン酸水溶液を使用しても良い。クエン酸には（１）式の化学反応の速度を速くする作用がある。摂氏０度から常温の範囲では、クエン酸の濃度が１５パーセント程度の時に、最も化学反応が速くなる。したがって、常温で使用する場合にはクエン酸水溶液の濃度は１５パーセントであることが望ましいが、他の濃度であっても良い。
【００３８】
このようにすることにより、水またはクエン酸水溶液を温める道具および手間が不要になるので、手軽に水素灸２０を用意して施術を行うことができる。
【００３９】
クエン酸水溶液の代わりに、Ｌ−アスコルギン酸すなわちビタミンＣ、酢酸、リンゴ酸等の酸を溶解した水溶液を使用しても良い。二水素化マグネシウムの代わりに、塩化マグネシウムを使用しても良い。
【００４０】
［実施の形態３］
本実施の形態は、気孔率の小さい樹脂または半透膜の内容器１２を使用する形態に関する。実施の形態２と共通する部分については、説明を省略する。
【００４１】
図４は、実施の形態３の水素灸２０の断面図である。本実施の形態の水素灸２０は、キューブ１５およびクエン酸水溶液を入れた袋１７が、外容器１１および蓋１３の内部に収納された構成である。袋１７は、たとえばポリエチレン製の袋である。袋１７の口は結ばれている。袋１７は、本実施の形態における内容器１２の例である。
【００４２】
水素灸２０の作成方法を説明する。袋１７にキューブ１５および摂氏７０度から８０度に温めたクエン酸水溶液を入れる。袋１７の口を結び、逆さにしても内容物がこぼれない状態にする。外容器１１に袋１７を入れる。外容器１１に蓋１３をかぶせ、両者の側面に設けられたねじにより固定する。以上により、図４を使用して説明した水素灸２０が完成する。
【００４３】
本実施の形態の水素灸２０の作用について説明する。キューブ１５を構成する二水素化マグネシウムとクエン酸水溶液中の水とが（１）式に示す化学反応を起こして、水素が発生する。さらに、キューブ１５を構成する二水素化マグネシウムとクエン酸水溶液中のクエン酸とが（２）式に示す化学反応を起こして水素が発生する。水素は袋１７を透過し、孔２１を通って水素灸２０の外に出る。
【００４４】
クエン酸水溶液は袋１７内に封入されているので、水素灸２０を傾けたり、さかさまにしたりしてもこぼれない。そのため、包帯、三角巾、ベルト等を利用して、任意の部位のツボに水素灸２０を固定することができる。
【００４５】
水素灸２０を固定する位置はツボに限定しない。たとえば頚動脈の上の皮膚に水素灸２０を当てても良い。頚動脈には強い拍動があるので、水素灸２０を当てる位置を容易にみつけることができる。
【００４６】
袋１７に開閉自在な水密ファスナー付きの食品向けの保存袋等を使用しても良い。
【００４７】
外容器１１は、孔２１を有する底を備えた縦長の筒状であっても良い。このようにすることにより、水素灸２０を手で持って所望の部位に当てることができる。
【００４８】
［実施の形態４］
本実施の形態は、蓋１３の内側にパッキンを設けた形態に関する。実施の形態２と共通する部分については、説明を省略する。
【００４９】
図５は、実施の形態４の水素灸２０の断面図である。本実施の形態の水素灸２０の蓋１３は、内面にパッキン１４を有する。パッキン１４は、たとえば柔軟なシリコン樹脂製である。内容器１２の上部は、外容器１１の上側に突出している。内容器１２の縁がパッキン１４に押し付けられている。
【００５０】
内容器１２は水素分子が透過しやすい厚さ、たとえば０．２ミリメートル程度の厚さの部分を有するようにする。
【００５１】
水素灸２０の作成方法を説明する。外容器１１に内容器１２を入れる。キューブ１５を内容器１２に入れる。摂氏７０度から８０度に温めたクエン酸水溶液を内容器１２に注ぐ。外容器１１に蓋１３をかぶせ、両者の側面に設けられたねじにより固定する。蓋１３をねじ込むことにより、パッキン１４が内容器１２の縁に押し付けられて変形し、内容器１２の内部を水密に封止する。以上により、図２を使用して説明した水素灸２０が完成する。
【００５２】
パッキン１４が内容器１２を水密に封止しているので、水素灸２０を傾けたり、さかさまにしたりしても内部のクエン酸水溶液がこぼれない。そのため、包帯、三角巾、ベルト等を利用して、任意の部位のツボに水素灸２０を固定することができる。
【００５３】
［実施の形態５］
本実施の形態は、ヒト以外の動物に使用する水素灸２０の使用方法に関する。図６は、実施の形態５の水素灸２０の使用状態を示す説明図である。実施の形態３と共通する部分については、説明を省略する。
【００５４】
本実施の形態においては、水素灸２０を犬の肩に相当する部位に当て、固定具１９により固定している。本実施の形態においては、実施の形態３と同様に傾けたりさかさまにしたりしても内容物がこぼれない水素灸２０を使用する。固定具１９には、伸縮性のある生地製の市販のサポータを使用することができる。
【００５５】
本実施の形態によると、施術中じっとさせておくことが難しいヒト以外の動物の皮膚に水素を供給することができる。猫、ウサギ、馬等の任意の動物に、水素灸２０を使用することができる。
【００５６】
各実施例で記載されている技術的特徴（構成要件）はお互いに組合せ可能であり、組み合わせすることにより、新しい技術的特徴を形成することができる。
今回開示された実施の形態はすべての点で例示であって、制限的なものでは無いと考えられるべきである。本発明の範囲は、上記した意味では無く、特許請求の範囲によって示され、特許請求の範囲と均等の意味および範囲内でのすべての変更が含まれることが意図される。
【符号の説明】
【００５７】
１０  水素灸用容器
１１  外容器
１２  内容器
１３  蓋
１４  パッキン
１５  キューブ
１７  袋
１９  固定具
２０  水素灸
２１  孔
【図１】
0006624591.tif 000005
【図２】
0006624591.tif 000006
【図３】
0006624591.tif 000007
【図４】
0006624591.tif 000008
【図５】
0006624591.tif 000009
【図６】
0006624591.tif 000010